(57)【要約】【課題】レンズ筒とランプハウスの重量バランスを改善し、チルト角調整作業の操作性を向上し得る新規なスポットライトを提供する。【解決手段】レンズ筒３をマグネシウム又はマグネシウム合金で成型したので、アルミニウム製の従来のレンズ筒に比べ、その重量が２／３程度まで軽減され、灯体ａ前側が軽量化されてチルト角調整作業の操作性が向上する。【選択図】　図１
2004055288.tif 000002
【特許請求の範囲】
【請求項１】
光源、反射器等を内蔵するランプハウスの前方に、アパーチャ部を通過する光を任意枠形にカットする所要数のカッター羽根を収容したカッター機構部を配設すると共に、該カッター機構部の前方に一又は複数のレンズを収容するレンズ筒を配設して灯体を構成し、且つ前記レンズ筒をマグネシウム又はマグネシウム合金で成形してなるスポットライト。
【請求項２】
上記灯体を前面が下になるよう置いた際に該灯体を支える脚となる凸部を、上記レンズ筒の前面周縁に所定間隔毎に複数設けたことを特徴とする請求項１記載のスポットライト。
【請求項３】
上記カッター機構部をランプハウスの前面に固定状に配設すると共に、該カッター機構部の前端には、上記レンズ筒の後端周面の下半側に設けた略半円形状の係合突縁が係脱自在に挿入される略半円形状の係合凹溝を形成して、前記レンズ筒をカッター機構部の前面に着脱自在に連結し、且つ前記カッター機構部前端とレンズ筒後端との上部に、前記カッター機構部とレンズ筒の連結状態を解除可能に固定する固定手段を設けたことを特徴とする請求項１又は２記載のスポットライト。
【請求項４】
上記レンズ筒が、内部に一又は複数のレンズを収容するレンズ筒本体と、該レンズ筒本体の上面に設けたレンズ交換用の開口部を開閉自在に塞ぐ蓋部からなることを特徴とする請求項１〜３の何れか１項記載のスポットライト。
【請求項５】
左右の縦杆の上端間に横杆を備えた略門型の灯体支持具の左右下端部を、上記ランプハウスの左右両側に回動自在に取り付けて、上記灯体をそのチルト角度が調整自在であるよう支持すると共に、前記灯体支持具の横杆に定荷重バネを配し、且つ該定荷重バネから引き出される帯状バネ材の先端部を上記レンズ筒の前部に取り付けて該レンズ筒の荷重を前記定荷重バネで支持するよう構成した請求項１〜４の何れか１項記載のスポットライト。
【発明の詳細な説明】
【０００１】
【発明の属する技術分野】
本発明は、劇場の舞台やテレビスタジオ等の演出空間で使用されるスポットライトの改良に関する。
【０００２】
【従来の技術】
従来から、光源、反射器等を収容するランプハウスの前面にカッター機構部を配すると共に、該カッター機構部の前面に一又は複数のレンズを収容するレンズ筒を配して灯体を構成し、且つ、左右の縦杆の上端間に横杆を備えた略門型の灯体支持具の左右下端部をランプハウスの左右両側に回動自在に取り付けて、灯体を、そのチルト角度（上下方向の傾斜角度）が調整自在であるよう支持したスポットライトが知られている。
【０００３】
【発明が解決しようとする課題】
処で、上記スポットライトは、レンズ筒に収容されるレンズが重量物であるため灯体前側（レンズ筒側）が重くなると共に、カッター機構部の操作の邪魔にならないよう灯体支持具の取り付け部分、即ち、灯体の回動支点が灯体後側（ランプハウス側）に設定されるので灯体の支持バランスが悪くなり、特に焦点距離が長い長尺状レンズ筒を用いた場合はその傾向が顕著であり、チルト角調整作業が行いにくいという問題がある。
【０００４】
本発明は上述したような従来事情に鑑みてなされたもので、その目的とする処は、レンズ筒とランプハウスの重量バランスを改善し、チルト角調整作業の操作性を向上し得る新規なスポットライトを提供することにある。
【０００５】
【課題を解決するための手段】
以上の目的を達成するために、本発明のスポットライトは、請求項１記載のように、光源、反射器等を内蔵するランプハウスの前方に、アパーチャ部を通過する光を任意枠形にカットする所要数のカッター羽根を収容したカッター機構部を配設すると共に、該カッター機構部の前方に一又は複数のレンズを収容するレンズ筒を配設して灯体を構成し、且つ前記レンズ筒をマグネシウム又はマグネシウム合金で成形してなることを特徴とする。
このような構成とした場合、アルミニウム又はアルミニウム合金等からなる従来のレンズ筒に比べ、その質量が２／３程度まで軽減されるので、灯体前側が軽量化されてチルト角調整作業の操作性が向上すると共に、灯体全体の軽量化を図ることができる。加えて、マグネシウムの持つ独特の質感を備えると共に、耐熱性に優れ、着色も可能な、新規なレンズ筒を提供することができる。
【０００６】
処で、この種スポットライトは、搬送、保管の際などに、灯体前面が下になるよう起立状に置くことがある。灯体前面にはレンズ保護用のフィルタ等を装着するための四角枠状のフィルタ装着枠が設けられているが、このフィルタ装着枠の大きさに比べ灯体全長が長いので、前記したように起立状に置くとバランスが悪くなり、ちょっとした衝撃で転倒してしまう虞れがある。
そこで、本発明の請求項２では、上記灯体を前面が下になるよう置いた際に該灯体を支える脚となる凸部を、上記レンズ筒の前面周縁に沿って所定間隔毎に複数設けたことを特徴とする。このような構成とすることで、スポットライトを灯体前面が下になるよう起立状に置いた際の安定性が向上し、スポットライトの取り扱いが容易になる。
【０００７】
また、この種スポットライトは、使用場所や使用条件等に応じて要求される照明形態が違うため、レンズ筒内に、所要数のレンズを収容すると共にフォーカス調整機構やズーム調整機構等を内蔵した数種の灯体を選択して使用するものであった。
そこで本発明の請求項３では、上記カッター機構部をランプハウスの前面に固定状に配設すると共に、該カッター機構部の前端には、上記レンズ筒の後端周面の下半側に設けた略半円形状の係合突縁が係脱自在に挿入される略半円形状の係合凹溝を形成して、前記レンズ筒をカッター機構部の前面に着脱自在に連結し、且つ前記カッター機構部前端とレンズ筒後端との上部に、前記カッター機構部とレンズ筒の連結状態を解除可能に固定する固定手段を設けたことを特徴とする。このように構成した場合、所要数のレンズを収容すると共にフォーカス調整機構やズーム調整機構等を内蔵した数種のレンズ筒を予め用意し、要求される照明形態に応じて任意のレンズ筒を選択し、一つのランプハウスとカッター機構部に対し容易に交換して使用することができる。
【０００８】
請求項４では、上記レンズ筒が、内部に一又は複数のレンズを収容するレンズ筒本体と、該レンズ筒本体の上面に設けたレンズ交換用の開口部を開閉自在に塞ぐ蓋部からなることを特徴とする。
このように構成した場合、蓋部を外してレンズ筒本体の上面開口部を開くことで、内部に収容されたレンズの清掃や交換等の作業を容易に行うことができる。
【０００９】
請求項５では、左右の縦杆の上端間に横杆を備えた略門型の灯体支持具の左右下端部を、上記ランプハウスの左右両側に回動自在に取り付けて、上記灯体をそのチルト角度が調整自在であるよう支持すると共に、前記灯体支持具の横杆に定荷重バネを配し、且つ該定荷重バネから引き出される帯状バネ材の先端部を上記レンズ筒の前部に取り付けて該レンズ筒の荷重を前記定荷重バネで支持するよう構成したことを特徴とする。
このように構成した場合、定荷重バネのバネ力によりレンズ筒を支持することで灯体の重量バランスが調整され、チルト角調整作業の操作性が向上する。また、定荷重バネを用いたので、レンズ筒を交換した場合でも前記重量バランスを適宜に調整することができる。
【００１０】
【発明の実施の形態】
以下、本発明に係るスポットライトの実施形態の一例を図面を参照して説明する。図１は本例のスポットライトの概要を示す側面図で、図中ａは、ランプハウス１の前方にカッター機構部２を配設すると共に、該カッター機構部２の前方にレンズ筒３を配設してなる灯体を表し、該灯体ａは灯体支持具ｂにより、そのチルト角度を調整自在に支持されるようになっている。
【００１１】
ランプハウス１は、アルミニウム又はアルミニウム合金等の金属材料等で成形されたもので、その内部に、光源となる電球４と、この電球４の光を前方へ集光する反射器５が内蔵されている。
【００１２】
カッター機構部２は、ランプハウス１と同質の金属材料等で成形された保持枠６をランプハウス１の前面に固定状に配設すると共に、その保持枠６内に、アパーチャ部を通過する光を任意枠形にカットする所要数（本例では上下左右に配される４枚）のカッター羽根を、光軸Ｌを囲むよう摺動自在に収容し、且つ夫々のカッター羽根の摺動操作を行うための把手７を保持枠６の周面に設けたスリット８から外側に突出させて、灯体ａから照射される光の投影像の照射範囲を任意に調整し得るよう構成されている。
【００１３】
レンズ筒３は、内部に一又は複数（本例では２枚）のレンズ９ａ，９ｂを収容するレンズ筒本体３ａと、そのレンズ筒本体３ａの上面に設けたレンズ交換用の開口部３ｂを開閉自在に塞ぐ蓋部３ｃとからなり、それらレンズ筒本体３ａと蓋部３ｃをマグネシウム又はマグネシウム合金で一体成型することで、レンズ筒３全体の質量を、アルミニウム又はアルミニウム合金等からなる従来のレンズ筒に比べ２／３程度まで軽減している。
【００１４】
レンズ筒３の前面には、色光を得るためのカラーフィルタホルダ等を着脱自在に装着するための枠状のフィルタホルダ装着枠１０がレンズ筒３と一体に設けられると共に、このフィルタホルダ装着枠１０の前面の四角部分には凸部１１が設けられ、これら凸部１１が、灯体ａをその前面が下になるよう置いた際に該灯体ａを安定性良く支える脚として機能するようになっている。
【００１５】
灯体支持具ｂは、所望の金属材料を用いて、図３中にも示すように、左右の縦杆ｂ１，ｂ２の上端間に横杆ｂ３を備えた略門型に成形されたもので、その左右の下端部ｂ４を、ランプハウス１の左右両側にボルト等の止着部材ｂ５で回動自在に取り付けてある。そうして、ランプハウス１の上側に位置させた横杆ｂ３に専用の吊下げ用ハンガーを連結したり、ランプハウス１の下側に位置させた横杆ｂ３にスタンドを連結するなどして、灯体ａを天井から吊り下げたり床面上に立ち上がるスタンドで支持することができるようにすると共に、その灯体ａのチルト角度を調整自在としている。
【００１６】
また、灯体支持具ｂの横杆ｂ３には巻回状の定荷重バネｃ１を収容したケースｃ２を取り付けると共に、そのケースｃ２内の定荷重バネｃ１の先端に連結したワイヤーｃ３の先端部ｃ４をレンズ筒３の前部に取り付けて、レンズ筒３の荷重を定荷重バネｃ１で支持している。
【００１７】
以下、図２〜図６を参照して、レンズ筒３について詳述する。レンズ筒３は前述したように、二枚のレンズ９ａ，９ｂを収容する所定長さのレンズ筒本体３ａの上面に、それらレンズ９ａ，９ｂの清掃や交換を行うための開口部３ｂを設けると共に、その開口部３ｂを塞ぐ蓋部３ｃを、ビス１２によりレンズ筒本体３ａに着脱自在に取り付けてある。
【００１８】
レンズ筒本体３ａの後端周縁の下半側には略半円形状の係合突縁１３を形成すると共に、カッター機構部２における保持枠６の前端周縁の下半側には、前記係合突縁１３が上方から係脱自在に挿入される係合凹溝１４を形成して、レンズ筒３をカッター機構部２の前面に着脱自在に連結してある。
【００１９】
レンズ筒本体３ａの後端周縁の中高部位の左右両側には、逆紡錘形状の係止突部１５を形成すると共に、上記保持枠６の前端周縁の中高部位の左右両側には、前記係止突部１５が上方から係脱自在に挿入される係止凹部１６を形成して、レンズ筒３とカッター機構部２の連結状態が維持されるようにしてある。
【００２０】
このようにして連結されたレンズ筒３とカッター機構部２とは、固定手段によりその連結状態を解除可能に固定されている。固定手段は、レンズ筒本体３ａの後端上部に設けた通孔１７に回転自在に装着した止めネジ１８と、保持枠６の前端上部に設けた前記止めネジ１８が螺合するネジ孔１９からなり、止めネジ１８をネジ孔１９に挿入して締結することでレンズ筒３とカッター機構部２の連結状態が固定され、その止めネジ１８を緩めれば前記連結状態が解除され、レンズ筒３をカッター機構部２から取り外せるようになっている。
【００２１】
レンズ筒本体３ａ内に収容されるレンズ９ａ，９ｂは、レンズ位置調整機構２０に保持され、電球４との距離を調整し得るようになっている。
【００２２】
本例のレンズ位置調整機構２０は、本願出願人による特願２０００−１８５１０２号中に記載されたレンズ位置調整機構と同様の構成のため詳述しないが、夫々のレンズ９ａ，９ｂ同士の離間距離は変えずに、両レンズ９ａ，９ｂと電球４との距離を変化させる所謂フォーカス調整機構である。
すなわち、図５，図６に示すように、レンズ筒本体３ａの内面左右両側に形成したガイドレール部２１により光軸Ｌに沿って摺動自在に支持される摺動部材２２と、内部にレンズ９ａ，９ｂを装着して前記摺動部材２２と一体に摺動するレンズホルダ２３と、レンズホルダ２３の摺動方向に沿って形成したラック２４と、このラック２４と噛合する歯車２５と、レンズ筒本体３ａの外面に付設され歯車２５と一体に回転しながら光軸Ｌに沿って前後摺動する操作ハンドル２６と、摺動部材２２と歯車２５と操作ハンドル２６を連結する連結軸２７の摺動を可能にするガイド孔２８を備え、操作ハンドル２６の回動操作に伴いレンズホルダ２３が光軸Ｌに沿って前後摺動し、これにより、灯体ａのフォーカス調整を行うようになっている。
【００２３】
レンズホルダ２３は、上記摺動部材２２に固定される下半部３０と、この下半部３０の上側にビス３１で着脱自在に装着される上半部３２からなる。これら下半部３０と上半部３２は各々、内周面にレンズ装着溝を有する略半円形状のレンズ保持部３０ａ，３０ｂ、３２ａ，３２ｂを前後に備え、これら前後のレンズ保持部３０ａ，３０ｂ、３２ａ，３２ｂを連結部３０ｃ，３２ｃで一体化させると共に、前側のレンズ保持部３０ａ，３２ａでレンズ９ａを、後側のレンズ保持部３０ｂ，３２ｂでレンズ９ｂを夫々挟持してこれらレンズ９ａ，９ｂを保持すると共に、上半部３２を下半部３０から外すことで各レンズ９ａ，９ｂを取り外せるように構成してある。
【００２４】
尚、図示は省略するが、上記ガイド孔２８からの光漏れを防ぐために、例えば、複数枚の遮光板を重ねた周知の蛇腹構造の遮蔽機構でガイド孔２８を塞ぐことが好ましい。また、上記摺動部材２２とレンズホルダの下半部３０は、予め一体成形されたものでも構わない。
【００２５】
以上の構成になる本例のスポットライトによれば、レンズ筒３を構成するレンズ筒本体３ａと蓋部３ｃをマグネシウム又はマグネシウム合金で一体成型したので、これらをアルミニウムなどで成型した場合に比べ、灯体ａの前側が軽くなる。よって、ランプハウス１側に灯体ａのチルト角度の支持支点が設定されていても、灯体ａの重量バランスが良く、チルト角度を調整する際の操作性が向上する。
加えて、定荷重バネｃ１によりレンズ筒３を支持することで灯体ａの重量バランスが調整されるので、チルト角調整作業の操作性がより一層向上する。また、定荷重バネｃ１を用いたので、レンズの収容枚数が異なるものやフォーカス調整機構に代えてズーム調整機構を内蔵したものや長さ寸法が異なる他のレンズ筒を交換して装着した場合でも、灯体ａの重量バランスを適宜に調整することができる。
【００２６】
また、レンズ筒３がマグネシウムの持つ独特の質感を備えると共に着色も可能であるため、新規なデザインを奏するスポットライトを提供できる。また、灯体ａ全体の軽量化を図って、搬送，設置などの各種作業時において容易に取り扱うことができるスポットライトを提供できる。
また、灯体ａ前面に設けた夫々の凸部１１が脚として機能することから、灯体ａ前面が下になるよう起立状に置いた際の安定性が向上する。
【００２７】
また、ランプハウス１の前面に固定状に配設したカッター機構部２に対し、レンズ筒３を着脱自在に取り付ける構造としたので、上記レンズ筒３以外に、収容されるレンズ枚数が異なるもの、フォーカス調整機構に代えてズーム調整機構を内蔵したもの、長さ寸法が異なるものなど、数種のレンズ筒を予め用意し、要求される照明形態に応じて任意のレンズ筒を適宜選択し、容易に交換して使用することができる。
【００２８】
さらに、蓋部３ｃを外してレンズ筒本体３ａの上面開口部３ｂを開くことで、内部に収容されたレンズ９ａ，９ｂの清掃や交換等を容易に行うことができる。
【００２９】
以上、レンズ筒内に２枚のレンズを収容すると共にこれらレンズのフォーカス調整機構を備えたスポットライトについて説明したが、本発明において、レンズ筒内に収容されるレンズの数やレンズ形態並びにフォーカス調整機構，ズーム調整機構の別などは本例に限定されるものではなく、特許請求範囲の各請求項に記載された技術的思想の範疇において種々の変更が可能であることは言うまでもない。
【００３０】
【発明の効果】
本発明は以上説明したように構成したので、以下の効果を奏する。
（請求項１）
灯体前側が軽量化されてチルト角調整作業の操作性が向上すると共に、灯体全体の軽量化を図ることができる。また、マグネシウムの持つ独特の質感を備えると共に、耐熱性に優れ、着色も可能な、新規なレンズ筒を備えたスポットライトを提供することができる。
【００３１】
（請求項２）
灯体前面の凸部が脚となって、スポットライトを灯体前面が下になるよう起立状に置いた際の安定性が向上し、スポットライトの取り扱いが容易になる。
【００３２】
（請求項３）
所要数のレンズを収容すると共にフォーカス調整機構やズーム調整機構等を内蔵した数種のレンズ筒を、要求される照明形態に応じて簡単に交換して使用することができる。
【００３３】
（請求項４）
蓋部を外してレンズ筒本体の上面開口部を開くことで、内部に収容されたレンズの清掃や交換等を容易に行うことができる。
【００３４】
（請求項５）
定荷重バネにより灯体の重量バランスが調整され、チルト角調整作業の操作性がより向上する。また、重量が異なる他のレンズ筒を交換して装着した場合でも、前記重量バランスを適宜に調整することができる。
【図面の簡単な説明】
【図１】本発明に係るスポットライトの実施形態の一例を示す側面図。
【図２】レンズ筒を外した状態を示す側面図。
【図３】レンズ筒を外した状態を示す要部の斜視図。
【図４】レンズ筒の斜視図。
【図５】レンズ筒の拡大断面図。
【図６】レンズ位置調整機構の分解斜視図。
【符号の説明】
ａ：灯体
１：ランプハウス
２：カッター機構部
３：レンズ筒
３ａ：レンズ筒本体
３ｂ：開口部
３ｃ：蓋部
４：光源
５：反射器
９ａ，９ｂ：レンズ
１１：凸部
１３：係合突縁
１４：係合凹溝
１８：止めネジ（固定手段）
１９：ネジ孔（固定手段）
ｂ：灯体支持具
ｂ１，ｂ２：縦杆
ｂ３：横杆
ｃ１：定荷重バネ
ｃ３：ワイヤー
【図１】
2004055288.tif 000003
【図２】
2004055288.tif 000004
【図３】
2004055288.tif 000005
【図４】
2004055288.tif 000006
【図５】
2004055288.tif 000007
【図６】
2004055288.tif 000008